(57)【要約】【課題】  高齢者や妊婦において、シートのロックバーを容易に操作するためのロック解除補助部材を提供する。【解決手段】  ロックバー取付部と、姿勢保持部と、取手部とを備え、姿勢保持部が自立式ベルトであり、自立式ベルトの芯材がゴム、プラスチックおよび金属繊維からなる群より選択される少なくとも１種であるロック解除補助部材を用いる。また、姿勢保持部が、取手部と一体構造となったロック解除補助部材を用いる。【選択図】  図２
2020163874.tif 000002
【特許請求の範囲】
【請求項１】
ロックバー取り付け部と、姿勢保持部と、を備えるロック解除補助部材。
【請求項２】
さらに、取手部を備える、請求項１に記載のロック解除補助部材。
【請求項３】
前記姿勢保持部が、前記取手部と一体構造となった、請求項２に記載のロック解除補助部材。
【請求項４】
前記ロックバー取り付け部が、面ファスナを備える、請求項１〜３のいずれか１項に記載のロック解除補助部材。
【請求項５】
前記姿勢保持部が自立式ベルトである、請求項１〜４のいずれか１項に記載のロック解除補助部材。
【請求項６】
前記取手部が、シートの前面に位置する、請求項１〜５のいずれか１項に記載のロック解除補助部材。
【発明の詳細な説明】
【技術分野】
【０００１】
本発明は、シート位置を移動させるためにロックを解除する際に、解除動作を補助するための部材に関する。
【背景技術】
【０００２】
シートには、シートを固定しているロック機構を解除して前後方向や、上下方向などにシート位置を移動させて移動位置において再びロックをかけ、身長や胴回りなどの個々人の体型に適合させることができるものがある。例えば、自動車用シートの場合、図１に示すように、シート１において、このロック機構はシート下方前方に水平に配置されたロックバー５が設置されていて、ロックバー５を上方に引き上げることによりロック機構が解除され、シートの前後移動が可能となる。使用者は、ロックバー５を引きながら適宜自身の体型に合わせてシート１を前後させ、適切な位置でロックバー５を降ろし、その位置で再びロックをかけてシート１の位置を固定させることが行われている（特許文献１）。
しかし、上述のようなロックバーは、座席の床面に近い場所に設置してあるため、高齢者や妊婦にとっては、ロックバーまで手を伸ばすことが容易ではないという問題があった。
【先行技術文献】
【特許文献】
【０００３】
【特許文献１】特表２０１７−５３７０２１号公報
【発明の概要】
【発明が解決しようとする課題】
【０００４】
そこで本発明の課題は、高齢者や妊婦においてはもちろんのこと健常者においても、シートのロックバーを容易に操作するための、ロック解除補助部材を提供することにある。
【課題を解決するための手段】
【０００５】
本発明者らは、特定の部品を有するロック解除補助部材を用いることにより、上記課題を解決することを見出した。
すなわち、本発明は、ロックバー取り付け部と、姿勢保持部と、を備えるロック解除補助部材である。
また、本発明は、さらに取手部を備える上記のロック解除補助部材である。
ロックバー取り付け部と、ベルト方向維持部と、取手部と、を備えるロック解除補助部材である。
また、本発明は、前記ベルト方向維持部と前記取手部とが一体構造となった、上記のロック解除補助部材である。
また、本発明は、前記ロックバー取り付け部が、面ファスナを備える、上記のロック解除補助部材である。
さらに、本発明は、前記面ファスナが両面テープを介してロックバーに取り付けられる、上記のロック解除補助部材である。
本発明は、前記ベルト方向維持部が自立式ベルトである、上記のロック解除補助部材である。
また、本発明は、前記自立式ベルトの芯材が、ゴム、プラスチックおよび金属繊維からなる群より選択される少なくとも１種である、上記のロック解除補助部材である。
さらに、本発明は、縫製品である、上記のロック解除補助部材である。
また、本発明は、前記取手部が、シートの前面に位置する、上記のロック解除補助部材である。
【発明の効果】
【０００６】
本発明によれば、高齢者や妊婦においてはもちろんのこと健常者においても、シートのロックバーを容易に操作するための、ロック解除補助部材を提供することができる。
【図面の簡単な説明】
【０００７】
【図１】従来技術におけるシートのロックバー解除の動作を表す概念図である。
【図２】本発明の一実施態様に係るロックバー解除補助部材の取付例の概略図である。
【図３】本発明の他の実施態様に係るロックバー解除補助部材の平面図である。
【図４】本発明の他の実施態様に係るロックバー解除補助部材の取付方法の概略図である。
【図５】本発明の他の実施態様に係るロックバー解除補助部材の取付方法の概略図である。
【図６】本発明の別の実施態様に係るロックバー解除補助部材の取付例の概略図である。
【発明を実施するための形態】
【０００８】
本発明の実施態様について図面を参照して説明する。なお、本明細書に記載される図面は、本発明の一つの実施態様を示しているものに過ぎず、本発明は、図面に記載された態様に限定されるものではない。なお、各図において、同一の部品または要素には同一の番号を用いることがある。
【０００９】
図２において、本発明の一実施態様のロック解除補助部材１０は、取手部２６、姿勢保持部２８、ロックバー取り付け部１４を備えている。本実施態様では、ロックバー取り付け部１４がロックバー５の周りを回転しないように、ロックバー５に予めゴム部材３０が備えられている。あるいは、ロックバー５に面ファスナを貼り付け、同様に内面に面ファスナを備えたロックバー取り付け部１４を貼り合わせて、ロックバー５とロックバー取り付け部１４の接着を強固なものとしてもよい。この時、ロックバー５に貼り付ける面ファスナの両端の接合部どうしをロックバー５の上方で互いに貼り合わせ、断面から見た場合に「しずく状」に貼り付けてもよい。これにより、垂直方向の姿勢保持機能を高めることが可能となる。
【００１０】
本実施態様では、姿勢保持部２８の少なくとも１部において、図示しない芯材が備えられている。このため、使用時においてもこの部分は垂直方向に維持されている。ここで芯材の材料は、ロック解除補助部材１０をロックバー５に取り付けたときに、姿勢保持部が剛性を維持できるものであれば特に制限はないが、例えば、ゴム、プラスチックおよび金属繊維などを挙げることができる。これらの中で、ゴムが好ましく、また、ゴムの中でもＴＰＳゴムやＰＶＣゴムがより好ましい。また、ゴムの強度は、姿勢保持と操作性の観点から、ショアＡ硬度５０以上９０以下が好ましく、６０以上８０以下がより好ましい。
なお、これらの芯材は、より自立性を高めるために、縫製によって姿勢保持部および取手部の少なくとも１部に埋め込まれていてもよい。このようにして、姿勢保持部２８に芯材を備え、縫製により製造することにより、姿勢保持部を自立式ベルトとすることができる。
【００１１】
本態様において、取手部２６に芯材が備えられていなくても、取手部２６の作り出す輪の大きさを適宜調整することにより、折れ曲がることなくその形状を維持させることができる。このため、シート１に着座した人が容易に取手部２６を掴んで、上方に引っ張ることができる。これにより、ロック機構が解除され、シートの前後移動が可能となる。使用者は、取手部２６を引きながら適宜自身の体型に合わせてシート１を前後させ、適切な位置で取手部２６を降ろし、その位置で再びロックをかけてシート１の位置を固定させることができる容易にできる。
【００１２】
次に、本発明の他の態様について説明する。図３において、本発明の他の実施態様におけるロック解除補助部材１０は、２箇所のロックバー取り付け部１４Ａ、１４Ｂと、取手部を兼ねた姿勢保持部（以下、「取手部兼姿勢保持部１８」ともいう。）と、穴部２０と、補助固定具２４を備える。
【００１３】
また、該取手部兼姿勢保持部１８は自立式ベルトとなっており、自立を支えるための芯材１２が少なくとも１部に備えられている。ここで芯材の材料は、ロック解除補助部材１０をロックバー５に取り付けたときに、取手部兼姿勢保持部１８が剛性を維持できるものであれば特に制限はないが、例えば、ゴム、プラスチックおよび金属繊維などを挙げることができる。これらの中で、ゴムが好ましく、また、ゴムの中でもＴＰＳゴムやＰＶＣゴムがより好ましい。また、ゴムの強度は、姿勢保持と操作性の観点から、ショアＡ硬度５０以上９０以下が好まく、６０以上８０以下がより好ましい。
【００１４】
図４において、図３のロック解除補助部材１０の概略的な使用方法を示す。ロックバー５にロックバー取り付け部１４Ａを巻きつけた後、ロックバー取り付け部１４Ｂを穴部２０に通して引っ張り、ロックバー取り付け部１４Ａをロックバー５にしっかりと固定する。穴部２０に通すことによって、使用者が取手部を引っ張るとロックバー取り付け部１４Ａがロックバー５にしっかりと固定され、繰り返しの使用に対しても弛みや外れを抑制することができる。この際に、ロックバー５の表面とロックバー取り付け部１４Ａの内面に両面テープを配設し、ロックバー５とロックバー取り付け部１４Ａの接着を強固なものとしてもよい。
【００１５】
あるいは、ロックバー５に面ファスナ２２を貼り付け、同様に内面に面ファスナを備えたロックバー取り付け部１４Ａを貼り合わせて、ロックバー５とロックバー取り付け部１４Ａの接着を強固なものとしてもよい。この時、ロックバー５に貼り付ける面ファスナの両端の接合部どうしをロックバー５の上方で互いに貼り合わせ、断面から見た場合に「しずく状」に貼り付けてもよい。これにより、垂直方向の姿勢保持機能を高めることが可能となる。次に、図５を参照すると、取手部兼姿勢保持部１８を長手方向中央付近で折り返し、ロックバー取り付け部１４Ｂの補助固定具２４をロックバー取り付け部１４Ａの根元付近（穴部２０の直上付近）でロックバーの長手方向に巻きつけ、ロックバー取り付け部１４Ａと、ロックバー５の接着をより強固なものとすることができる。この場合、ロックバー取り付け部１４Ａと１４Ｂが相互に補完的に働き、一体となってロックバー取付部１４を構成する。なお、補助固定具２４の巻き付け位置を上下させることにより、取手部の長さを調整することができる。
【００１６】
本態様において、取手部兼姿勢保持部１８には、芯材１２が備えられているため、図５に示すような実際の使用時においても、取手部兼姿勢保持部１８は、垂直方向に維持されており、シート１に着座した人が容易に取手部兼姿勢保持部１８を掴んで、上方に引っ張ることができる。これにより、ロック機構が解除され、シートの前後移動が可能となる。使用者は、取手部兼姿勢保持部１８を引きながら適宜自身の体型に合わせてシート１を前後させ、適切な位置で取手部兼姿勢保持部１８を降ろし、その位置で再びロックをかけてシート１の位置を固定させることができる容易にできる。
【００１７】
さらに、本発明の別の実施態様について説明する。図６において、本発明の別の実施態様に係るロック解除補助部材１０は、姿勢保持部２８と、取手部２６と、ロックバー取り付け部１４を備えている。ロックバー取り付け部１４は、図５の実施態様と同様に、ロックバー取り付け部１４がロックバー５の周りを回転しないように、ロックバー５に予めゴム部材（図示しない）が備えられている。あるいは、ロックバー５に面ファスナを貼り付け、同様に内面に面ファスナを備えたロックバー取り付け部１４を貼り合わせて、ロックバー５とロックバー取り付け部１４の接着を強固なものとしてもよい。この時、ロックバー５に貼り付ける面ファスナの両端の接合部どうしをロックバー５の上方で互いに貼り合わせ、断面から見た場合に「しずく状」に貼り付けてもよい。これにより、垂直方向の姿勢保持機能を高めることが可能となる。本実施態様においては、上述の図２や図３に係る態様のように姿勢保持部２８に芯材を必要としない。すなわち、姿勢保持部２８をシート１の座面および背もたれ部に接触させるように這わせて、その先端をシート１の背もたれの一部あるいはシート後方に固定することにより、取手部２６が座面の前方手前に常に維持されることとなる。このため、シート１に着座した人が容易に取手部２６を掴んで、上方に引っ張ることができる。これにより、ロック機構が解除され、シートの前後移動が可能となる。使用者は、取手部２６を引きながら適宜自身の体型に合わせてシート１を前後させ、適切な位置で取手部２６を降ろし、その位置で再びロックをかけてシート１の位置を固定させることができる容易にできる。なお、図６では、ロック解除補助部材を複数用いる例を示しているが、単独で用いるものあってもよい。
【産業上の利用可能性】
【００１８】
本発明によれば、高齢者や妊婦においてはもちろんのこと、健常者においても、シートのロックバーを容易に操作するためのロック解除補助部材が提供される。
【符号の説明】
【００１９】
１  シート
５  ロック解除バー
１０  ロック解除補助部材
１２  自立式ベルト芯材
１４  ロックバー取り付け部
１８  取手部兼姿勢保持部
２０  穴部
２２  面ファスナ
２４  補助固定具
２６  取手部
２８  姿勢保持部
３０  ゴム部材
【図１】
2020163874.tif 000003
【図２】
2020163874.tif 000004
【図３】
2020163874.tif 000005
【図４】
2020163874.tif 000006
【図５】
2020163874.tif 000007
【図６】
2020163874.tif 000008